(57)【要約】【課題】印刷物の発行者が必要に応じてさまざまなパターンの蛍光コードを作成できる印刷物およびその印刷物の偽造判別システムを得る。【解決手段】カード１は、基体２の表面にコード印刷領域３を有していて、コード印刷領域３に偽造判別用の蛍光コードＫを形成してある。コード印刷領域３の全域には、励起光の照射によって蛍光を発光する蛍光体含有インク５をまんべんなく塗布してある。コード印刷領域３において、蛍光コードＫを反転したマスク領域Ｍに、励起光を吸収するマスク材６を印刷することで前記蛍光コードＫを形成してある。【選択図】図１
2006212944.tif 000002
【特許請求の範囲】
【請求項１】
基体の表面にコード印刷領域を有していて、該コード印刷領域に偽造判別用の蛍光コードが形成される印刷物であって、
前記コード印刷領域の全域には、励起光の照射によって蛍光を発光する蛍光体をまんべんなく含有させてあり、
前記コード印刷領域において、前記蛍光コードを反転したマスク領域に前記励起光を吸収するマスク材を印刷することで、前記蛍光コードが形成されていることを特徴とする印刷物。
【請求項２】
基体の表面にコード印刷領域を有していて、該コード印刷領域に偽造判別用の蛍光コードが形成される印刷物であって、
前記コード印刷領域の全域には、励起光の照射によって蛍光を発光する蛍光体をまんべんなく含有させてあり、
前記コード印刷領域において、前記蛍光コードを反転したマスク領域に前記蛍光を吸収するマスク材を印刷することで、前記蛍光コードが形成されていることを特徴とする印刷物。
【請求項３】
前記マスク材が、インクまたはトナー材である請求項１または２記載の印刷物。
【請求項４】
印刷物の表面に設けたコード印刷領域に蛍光コードを形成し、該蛍光コードで発光した蛍光に基づいて前記印刷物の真偽を判別する印刷物の偽造判別システムであって、
前記印刷物は、励起光の照射によって蛍光を発光する蛍光体を前記コード印刷領域にまんべんなく含有させてあり、
前記コード印刷領域において、前記蛍光コードを反転したマスク領域に前記励起光あるいは前記蛍光を吸収するマスク材を印刷する印刷手段と、
前記印刷物に前記励起光を照射して前記蛍光コードで発光した蛍光を受光するとともに前記蛍光の受光信号に基づいて前記蛍光コードを認識することで、真正の印刷物を判別する判別手段とを有する印刷物の偽造判別システム。
【請求項５】
前記判別手段は、前記マスク領域の形成パターンを記憶しており、該マスク領域の形成パターンを反転して得られた反転パターンが前記認識した蛍光コードに一致する場合に真正の印刷物であると判断する請求項４記載の印刷物の偽造判別システム。
【請求項６】
前記マスク材が、インクまたはトナー材である請求項５記載の印刷物の偽造判別システム。
【発明の詳細な説明】
【技術分野】
【０００１】
本発明は、基体の表面のコード印刷領域に偽造判別用の蛍光コードを形成する印刷物およびその印刷物の偽造判別システムに関する。
【背景技術】
【０００２】
プリベートカードやクレジットカードなどの各種のカードは、管理などのためにバーコードやＱＲコード（二次元コード）などのコードが印刷してある。さらに特許文献１〜８に示すごとく、前記カードにあっては、蛍光体含有インクで蛍光コードを予め印刷しておき、蛍光コードにレーザなどの励起光を照射して蛍光を発光させ、この蛍光を光学式のスキャナーで読み取って、カードの真偽を判別する技術が提案されている。
【０００３】
これによれば、前記蛍光コードの検出に基づいてカードの真偽を確実に判別することができる。しかも、蛍光体含有インクは、容易には入手できないために、偽造した蛍光コードをカードに設けることは極めて困難である。
【０００４】
【特許文献１】特開平６−５２３４５号公報（段落番号０００７、図１−２）
【特許文献２】特開平７−２１３３３号公報（段落番号００１０、図１）
【特許文献３】特開平９−２１２５７６号公報（段落番号００１２・００１４、図１・４）
【特許文献４】特開平９−２４５１１５号公報（段落番号００１６、図１）
【特許文献５】特開平１０−３２０４９９号公報（段落番号００２４−００２５、図１−３）
【特許文献６】特開平１１−３９４１９号公報（段落番号００１０−００１１、図１−２）
【特許文献７】特開平１１−２０９６７５号公報（段落番号００３０、図３・５）
【特許文献８】特開２００１−３５６６８９号公報（段落番号０００２、図２）
【発明の開示】
【発明が解決しようとする課題】
【０００５】
前述のように蛍光体含有インクは容易に入手できないために、蛍光コードの印刷は真正な印刷業者へ依頼する必要がある。しかしながら、劇場やスポーツ観戦用のチケット、公営競技の投票券あるいは宝くじなどのカードでは、１枚ごとに異なる情報を必要とすることがあるため、これに合わせて１枚ごとに蛍光コードを変えて印刷したい場合があるが、その要望に応えようとするとカードの単価が高くなる。
【０００６】
また、カードの発行者にあっては、使用目的の変更などに合わせて蛍光コードをカード発行の間際に設定したい場合もあるが、発行の間際に蛍光コードの印刷を印刷業者へ依頼したのでは、発行に間に合わないという問題点がある。
【０００７】
そこで本発明の目的は、印刷物の発行者がさまざまなパターンの蛍光コードを作成できる印刷物およびその印刷物の偽造判別システムを提供することにある。
【課題を解決するための手段】
【０００８】
本発明の請求項１および２に係る印刷物は、図１に示すごとく、基体２の表面にコード印刷領域３を有していて、該コード印刷領域３に偽造判別用の蛍光コードＫが形成される。ここでの蛍光コードＫは、バーコード、二次元コード、単純なマークおよび複雑な絵柄のマークなどが該当する。
【０００９】
請求項１および２は、前記コード印刷領域３の全域に、励起光の照射によって蛍光を発光する蛍光体をまんべんなく含有させてある。コード印刷領域３において、蛍光コードＫを反転したマスク領域Ｍにマスク材６を印刷することで、蛍光コードＫが形成される。
【００１０】
請求項１は、マスク材６が励起光を吸収することで、マスク領域Ｍでは励起光が蛍光体に届き難くなって蛍光が発光され難くなる。請求項２は、マスク材６が蛍光を吸収することで、蛍光体で発光した蛍光がマスク領域Ｍを透過し難くなる。つまり、請求項１および２のいずれであっても、蛍光を検出するスキャナー９は、マスク領域Ｍでは蛍光を検出することができず、蛍光コードＫのみで蛍光を検出する。マスク材６は、入手し易くて取り扱いが容易なインクまたはトナー材であることが望ましい。
【００１１】
本発明の請求項４が対象とする偽造判別システムは、図１ないし図４に示すごとく、印刷物１の表面に設けたコード印刷領域３に蛍光コードＫを形成し、蛍光コードＫで発光した蛍光に基づいて印刷物１の真偽を判別する。
【００１２】
請求項４が判別の対象とする印刷物１は、請求項１や請求項２と同様に、予め蛍光体をコード印刷領域３にまんべんなく含有させてある。請求項４では、印刷物１のコード印刷領域３において、蛍光コードＫを反転したマスク領域Ｍに励起光あるいは蛍光を吸収するマスク材６を印刷する印刷手段と、印刷物１に励起光を照射して蛍光コードＫで発光した蛍光を受光するとともに前記蛍光の受光信号に基づいて蛍光コードＫを認識することで、真正の印刷物１を判別する判別手段とを有する。
【００１３】
判別手段は、マスク領域Ｍの形成パターンを記憶しており、該マスク領域Ｍの形成パターンを反転した反転パターンが前記認識した蛍光コードＫに一致する場合に真正の印刷物１であると判断することができる。マスク材６は、インクまたはトナー材であることが望ましい。
【発明の効果】
【００１４】
本発明の印刷物および偽造判別システムによれば、印刷物１の発行者が各印刷物１のコード印刷領域３にマスク材６を印刷することで蛍光コードＫを形成できるので、専門の印刷業者へ依頼して、印刷物１ごとに蛍光体含有インクで蛍光コードＫを印刷させる場合に比べて、印刷物１に掛かるコストを低減できる。しかも、印刷物１の発行者が、必要に応じてさまざまなパターンの蛍光コードＫを設定することができるうえ、任意の時期に印刷物１に蛍光コードＫを形成することが可能となり、その分だけ蛍光コードＫの形成の時期などに融通性を持たせることができる。
【００１５】
判別手段が、マスク領域Ｍの形成パターンを記憶し、マスク領域Ｍの形成パターンを反転して得られた反転パターンが、認識した蛍光コードＫに一致する場合に真正の印刷物１であると判断すると、マスク材６の印刷のために設定されたマスク領域Ｍの形成パターンのデータをそのまま使って蛍光コードＫを判別でき、その分だけシステムに必要なデータ量を軽減できる。
【発明を実施するための最良の形態】
【００１６】
（実施例１）  図１ないし図４は、本発明に係る印刷物としてのカードの実施例１を示している。カード１は、図１および図２に示すごとく、長方形の薄板状の基体２の表面にコード印刷領域３を有する。基体２は、紙や合成樹脂などからなる。コード印刷領域３は、偽造判別用の蛍光コードＫを形成するためのものであり、蛍光体含有インク５が、べた状に塗布（印刷）されている。これにより、コード印刷領域３の全域には、蛍光体がまんべんなく含有される。
【００１７】
蛍光体含有インク５は、レーザ光線などの所定波長の励起光が照射されることで、励起光とは異なる波長の蛍光を発光する。なお、基体２の表面の適所には、カード１の種類、番号および発行日などが通常のインクで印刷されており、この印刷内容は目視可能になっている。
【００１８】
蛍光コードＫは、バーコードや二次元コードなどが該当し、カード１の種類や番号などの各カード１に固有のデータが含まれる。蛍光コードＫに含まれるデータは、カード１の発行者が設定し、設定後の蛍光コードＫは、図１に示すごとく、コード印刷領域３において、蛍光コードＫを反転したマスク領域Ｍにマスク材６を印刷することで形成される。
【００１９】
マスク材６は、励起光を吸収する染料や顔料などを含有しており、マスク材６の形成パターンは、蛍光コードＫを反転したネガの関係にある。マスク領域Ｍでは、励起光がマスク材６に吸収されて蛍光体含有インク５に届き難くなっており、蛍光が発光され難くなっている。つまり、蛍光コードＫの箇所のみで蛍光が発光し、この蛍光を検出することで蛍光コードＫを認識することができる。マスク材６は、カード発行者がインクジェットプリンタ、熱転写プリンタあるいはレーザープリンタなどの印刷手段を用いて印刷する。
【００２０】
蛍光体含有インク５には、励起光が紫外線であって可視光の蛍光を発光する蛍光体、励起光が可視光であって赤外線の蛍光を発光する蛍光体、あるいは励起光が赤外線であって赤外線の蛍光を発光する蛍光体などを含有する。蛍光体としては、前記励起光が可視光であってもよい。蛍光体含有インク５は、目視困難な透明あるいは半透明のインクであることが、セキュリティの面で有効である。
【００２１】
蛍光体含有インク５の蛍光体の原料としては、ネオジム（Ｎｄ）、イッテルビウム（Ｙｂ）、ユウロピウム（Ｅｕ）、ツリウム（Ｔｍ）、プラセオジム（Ｐｒ）あるいはジスプロシウム（Ｄｙ）などの希土類元素（ランタノイド：Ｌｎ）、またはこれらの混合物を発光中心とし、フッ化物、リン酸塩、モリブデン酸塩あるいはタングステン酸塩などの酸化物を母体に含む無機化合物、例えばＮｄＰ5 Ｏ14、ＬｉＮｄＰ4 Ｏ12、ＮａＹ0.69Ｙｂ0.3 Ｅｒ0.01Ｆ4 あるいは一般式Ｌｎ1-x-y Ｎｄx Ｙｂy ＰＯ4 （Ｌｎはランタノイド）で表される化合物などの他、有機蛍光体や有機染料などを挙げることができる。
【００２２】
マスク材６の原料としては、市販の染料、「染料便覧」（有機合成化学協会編集、昭和４５年刊）などの文献に記載されている染料、市販の顔料、カラーインデックス（Ｃ．Ｉ．）便覧、「最新顔料便覧」（日本顔料技術協会編、１９７７年刊）、「最新顔料応用技術」（ＣＭＣ出版、１９８６年刊）あるいは「印刷インキ技術」（ＣＭＣ出版、１９８４年刊）などに記載されている顔料が利用できる。マスク材６は、これらの染料や顔料を含有するインクやトナー材が該当する。
【００２３】
具体的には、マスク材６の原料として、アゾ染料、金属錯塩アゾ染料、ピラゾロンアゾ染料、ナフトキノン染料、アントラキノン染料、フタロシアニン染料、カルボニウム染料、キノンイミン染料、メチン染料（ポリメチン染料も含まれる）、シアニン染料、スクアリリウム色素、ピリリウム塩あるいは金属チオレート錯体などの染料が挙げられる。その他、幅広い帯域の赤外光を吸収するカーボンブラックを含む赤外吸収材料も利用できる。マスク材６は、透明あるいは半透明のインクやトナー材であることが、セキュリティの面で有効である。
【００２４】
前記カード１の真偽を判別する偽造判別システムは、図３と図４とに示すごとく、カード１から蛍光コードＫを読み取るためのスキャナー９と、スキャナー９からの信号に基づいてカード１の真偽を判別する判別装置１０と、表示部などを有する端末装置１１とを含む。スキャナー９は、一台または複数台設けられており、各スキャナー９は、それぞれ端末装置１１に接続され、各端末装置１１は、インターネットＥなどを介して判別装置１０に接続される。
【００２５】
各スキャナー９は、図３に示すごとく、レーザなどの励起光をカード１に照射する光源１２と、カード１からの光を集光する結像レンズ１３と、結像レンズ１３とＣＣＤ１６との間に介在する光学フィルタ１５と、光学フィルタ１５を通った光を受光するＣＣＤ１６とを含む。ＣＣＤ１６は、ＩｎＧａＡｓなどのフォトダイオードなどからなる。
【００２６】
光源１２は、ＡｌＧａＡｓなどの半導体材料を有する発光ダイオードや半導体レーザなどからなり、蛍光体含有インク５の蛍光体を励起する励起光を照射する。光学フィルタ１５は、結像レンズ１３を通った光のうち、蛍光体含有インク５で発光した蛍光の波長付近の波長帯域のみを透過させる。これにより、ＣＣＤ１６は、前記蛍光のみを受光することになる。
【００２７】
判別装置１０は、コンピュータなどからなり、カード１へのマスク材６の印刷も可能になっている。つまり、判別装置１０は、図４に示すごとく、各種の処理を行う処理手段１７と、マスク領域Ｍの形成パターンなどを記憶する記憶手段１９と、キーボードやマウスなどからなる入力手段２０と、ディスプレイや前述のインクジェットプリンタ（印刷手段）などからなる出力手段２１とを含む。
【００２８】
処理手段１７は、スキャナー９が蛍光を検出したか否かを判別する判別手段を有するとともに、スキャナー９が蛍光を受光した場合には該受光信号から蛍光コードＫを認識して、該蛍光コードＫに含まれたデータを抽出する。カード１へのマスク材６の印刷は、判別装置７とは別の装置で行ってもよい。
【００２９】
カード１の真偽の判別動作を具体的に説明する。ここでは、蛍光体含有インク５として、約８１０ｎｍの波長の励起光で９８０ｎｍの波長の蛍光を発光するＬｉＮｄＹｂＰ4 Ｏ12、ＬｉＮｄＰ4 Ｏ12、Ｋ3 Ｎｄ（ＰＯ4 ）2 、ＮａＮｄ（ＷＯ4 ）2 を用い、マスク材６として、カーボンブラックを含むインクを用いた。ＣＣＤ１６には、蛍光体含有インク５に合わせて９８０ｎｍ付近に受光感度があるフォトダイオードを用いた。
【００３０】
真正なカード１の場合、スキャナー９の光源１２から約８１０ｎｍの波長の励起光がカード１に照射されることで、カード１のコード印刷領域３の蛍光コードＫが前記励起光を受けて、９８０ｎｍの波長の蛍光を発光する。この蛍光がスキャナー９のＣＣＤ１６に受光されることで、スキャナー９から判別装置１０へ受光信号が送られる。
【００３１】
判別装置１０は、前記受光信号を受けるとともに、スキャナー９からの受光信号に基づいて蛍光コードＫを認識することで、前記スキャナー９でスキャンしたカード１は真正であると判断する。つまり、判別装置１０は、マスク領域Ｍの形成パターンを記憶しており、マスク領域Ｍの形成パターンを反転して得られた反転パターンが前記認識した蛍光コードＫに一致する場合に、真正の印刷物１であると判断する。
【００３２】
そして、前記印刷物１が真正である旨が出力手段２１および前記端末装置１１などに出力されて、当該カード１が真正であるとの旨が表示されるとともに、蛍光コードＫに含まれたカード番号などのデータが表示される。
【００３３】
一方、偽造されたカード１の場合、該カード１には蛍光体含有インク５が適正に塗布されていないので、カード１をスキャンしてもスキャナー９のＣＣＤ１６は蛍光を受光しない。したがって、スキャナー９から判別装置１０には前記受光信号が送られてこない。この場合、判別装置１０は、当該カード１が偽造である旨を出力手段２１および前記スキャナー９の端末装置１１に出力して、当該カード１が偽造であるとの旨を表示する。
【００３４】
（実施例２）  実施例２では、マスク材６として、蛍光を吸収する染料や顔料などを含有したインクやトナー材を用いている。その他の点は、実施例１と同じであるので説明を省略する。
【００３５】
実施例２では、蛍光体含有インク５で発光した蛍光がマスク領域Ｍでは吸収される。したがって、マスク領域Ｍの上方へは蛍光が出射され難くなって、マスク領域Ｍを除く蛍光コードＫの箇所で発光した蛍光のみがスキャナー９に受光される。スキャナー９は、この蛍光を検出することで蛍光コードＫを認識することができる。
【００３６】
図５に示すごとく、他の実施例としてマスク領域Ｍにマスク材６を印刷したのちに、励起光および蛍光のみが透過可能なインク２２などでコード印刷領域３の上側を覆ってもよい。この場合、可視光では蛍光コードＫが判別し難くなって、その分だけ偽造が困難になる。なお、コード印刷領域３は、カード１の全面に設けてもよい。
【００３７】
スキャナー９での蛍光コードＫの読み取り手段としては、レーザをガルバノミラーもしくはポリゴンミラーなどで走査させる手段や、ＣＣＤ１６に代えてライン状に並べたフォトダイオードを用いてカード１を走査させて読み取る手段なども考えられる。２次元コードなどの場合は、エリアイメージセンサを用いて読み取る方法が一般的である。
【図面の簡単な説明】
【００３８】
【図１】本発明に係るカードの平面図
【図２】図１のＡ−Ａ線断面図
【図３】スキャナーの概略構成図
【図４】本発明に係る判別装置のブロック構成図
【図５】カードの他の実施例の図２に相当する断面図
【符号の説明】
【００３９】
１  カード
２  基体
３  コード印刷領域
５  蛍光体含有インク
６  マスク材
９  スキャナー
１０  判別装置
Ｋ  蛍光コード
Ｍ  マスク領域
【図１】
2006212944.tif 000003
【図２】
2006212944.tif 000004
【図３】
2006212944.tif 000005
【図４】
2006212944.tif 000006
【図５】
2006212944.tif 000007